(57)【要約】【課題】所望の成分のみを短時間で試料から抽出する方法、並びにそれに用いる装置を提供するものである。【解決手段】プラスチック製容器中に無極性有機溶剤および試料を入れ、無極性有機溶剤を加熱して試料から成分を抽出する方法であって、無極性有機溶剤中に水を内包したガラスビーズを入れ、水をマイクロ波で加熱することにより、無極性有機溶剤を加温できるので、試料から所望の成分のみを短時間で抽出することができるものである。【選択図】図１
2007160164.tif 000002
【特許請求の範囲】
【請求項１】
プラスチック製容器中に無極性有機溶剤および試料を入れ、前記無極性有機溶剤を加熱して前記試料から成分を抽出する方法であって、
前記無極性有機溶剤中に水を内包したガラスビーズを入れ、前記水をマイクロ波で加熱することにより、前記無極性有機溶剤を加温することを特徴とする試料から成分を抽出する方法。
【請求項２】
試料を無極性有機溶剤中に浸漬して前記試料中の成分を前記無極性有機溶剤中に溶出させて抽出する装置であって、
前記試料と無極性有機溶剤を収納し、密閉することが可能なプラスチック製容器と、
前記プラスチック製容器中に収納され、前記無極性有機溶剤を昇温するのに用いられる水を内包したガラスビーズと、
該ガラスビーズ内の前記水にマイクロ波を照射するためのマイクロ波発生手段と、
前記プラスチック製容器を収納するためのマイクロ波シールド容器と、
前記プラスチック製容器内の温度を測定するための温度測定手段と、
前記プラスチック製容器内の圧力を測定するための圧力測定手段と、
前記プラスチック製容器内が高圧力となって爆発するのを防ぐための安全弁と、
前記温度測定手段および前記圧力測定手段で測定した前記プラスチック製容器内の温度および圧力を前記高周波発生手段にフィードバックしてマイクロ波出力を制御するためのマイクロ波出力制御手段を具備したことを特徴とする抽出装置。
【発明の詳細な説明】
【技術分野】
【０００１】
本発明は、試料から無極性有機溶剤を用いて成分を抽出する方法と、それに用いる装置に関する。
【背景技術】
【０００２】
製品および材料から成分を精度良く短時間に抽出する方法として、低溶出性のプラスチック容器に試料および無極性有機溶剤を入れた後、オーブン等で温度制御する抽出法が用いられている。
しかし、低溶出性のプラスチック容器は熱伝導率が低いため、温度制御に非常に時間がかかってしまうという問題点があった。
【０００３】
これに対して、低溶出性のプラスチック容器に試料、メタノールおよびエタノール等の極性溶剤、無極性有機溶剤を入れた後、マイクロ波で極性有機溶剤を加熱することによって、無極性有機溶剤を加熱し、成分を抽出する方法が提案されている。（特許文献１参照）
【０００４】
【特許文献１】特許第３０９５２４１号公報
【発明の開示】
【発明が解決しようとする課題】
【０００５】
しかし、無極性有機溶剤で所望の成分を抽出する他に、極性有機溶剤が抽出したくない成分まで抽出してしまうという問題が起こっている。
【０００６】
本発明の課題は、所望の成分のみを短時間で試料から抽出する方法、並びにそれに用いる装置を提供するものである。
【課題を解決するための手段】
【０００７】
請求項１に記載の発明は、プラスチック製容器中に無極性有機溶剤および試料を入れ、前記無極性有機溶剤を加熱して前記試料から成分を抽出する方法であって、
前記無極性有機溶剤中に水を内包したガラスビーズを入れ、前記水をマイクロ波で加熱することにより、前記無極性有機溶剤を加温することを特徴とする試料から成分を抽出する方法である。
【０００８】
請求項２に記載の発明は、試料を無極性有機溶剤中に浸漬して前記試料中の成分を前記無極性有機溶剤中に溶出させて抽出する装置であって、
前記試料と無極性有機溶剤を収納し、密閉することが可能なプラスチック製容器と、
前記プラスチック製容器中に収納され、前記無極性有機溶剤を昇温するのに用いられる水を内包したガラスビーズと、
該ガラスビーズ内の前記水にマイクロ波を照射するための高周波発生手段と、
前記プラスチック製容器を収納するためのマイクロ波シールド容器と、
前記プラスチック製容器内の温度を測定するための温度測定手段と、
前記プラスチック製容器内の圧力を測定するための圧力測定手段と、
前記プラスチック製容器内が高圧力となって爆発するのを防ぐための安全弁と、
前記温度測定手段および前記圧力測定手段で測定した前記プラスチック製容器内の温度および圧力を前記高周波発生手段にフィードバックしてマイクロ波出力を制御するためのマイクロ波出力制御手段を具備したことを特徴とする抽出装置である。
【発明の効果】
【０００９】
本発明の請求項１の発明は、プラスチック製容器中に無極性有機溶剤および試料を入れ、無極性有機溶剤を加熱して試料から成分を抽出する方法であって、無極性有機溶剤中に水を内包したガラスビーズを入れ、水をマイクロ波で加熱することにより、プラスチック製容器中の無極性有機溶剤を加温できるので、試料から所望の成分のみを短時間で抽出することができるものである。
【発明を実施するための最良の形態】
【００１０】
試料から成分を抽出する方法の例を、図１を基に説明する。
【００１１】
まず、試料、無極性有機溶剤、内部に水２を有するガラスビーズ３を、安全弁６を備えたプラスチック製容器４に入れる。
【００１２】
プラスチック製容器４の材料としては、アクリル樹脂、フッ素樹脂、ポリカーボネート樹脂等を用いることができる。
【００１３】
無極性有機溶剤としては、ヘキサン、ヘプタン、オクタン、四塩化炭素等を用いることができる。
【００１４】
次に、試料、無極性有機溶剤、内部に水２を有するガラスビーズ３を入れたプラスチック製容器４を、マイクロ波発生手段１と接続されたマイクロ波シールド容器５内に収容する。
【００１５】
マイクロ波発生手段１の発振周波数は２．４５ＧＨｚ帯を用いることができるが、この周波数に限定されるものではない。
【００１６】
マイクロ波シールド５の材料としては、網入りガラスを用いることができる。
【００１７】
次に、試料、無極性有機溶剤、内部に水２を有するガラスビーズ３を入れたプラスチック製容器４にマイクロ波を照射し、非接触式温度測定手段７および圧力測定手段８により反応状態を確認しながら、試料から成分を無極性有機溶剤に抽出する。
【００１８】
この時、水２にマイクロ波を照射した時に発生する熱を、反応に使用する。
【００１９】
非接触式温度測定手段７および圧力測定手段８により測定した温度および圧力を、マイクロ波発生手段１にフィードバックする機構を取り付けても良い。
【実施例１】
【００２０】
まず、１００ｍｌ容量のフッ素樹脂製容器に、抽出溶媒としてヘプタン１０ｍｌと、内部に純水の入ったガラスビーズ３ｇと、試料である、ポリエチレン（１０μｍ）／紙（３００μｍ）／ＰＥＴ（１２μｍ）／ポリエチレン（１０μｍ）構成であってウレタン系接着剤でラミネートした物０．３ｇを入れ密閉した。
【００２１】
次に、それを、温度が６０℃以上１２０℃以下、圧力が２ｂａｒ以上３０ｂａｒ以下になるようマイクロ波発生手段を調整しながら１時間加熱した。
【００２２】
抽出溶媒の赤外線吸収スペクトル分析を行ったところ、接着剤成分と考えられるウレタン基が検出された。
【実施例２】
【００２３】
まず、１００ｍｌ容量のフッ素樹脂製容器に、抽出溶媒としてヘプタン１０ｍｌと、内部に純水の入ったガラスビーズ３ｇと、試料である、インキ（２μｍ）／ポリエチレン（１０μｍ）／紙（３００μｍ）／ＰＥＴ（１２μｍ）／ポリエチレン（１０μｍ）構成であってアクリル系接着剤でラミネートした物０．３ｇを入れ密閉した。
【００２４】
次に、それを、温度が６０℃以上１２０℃以下、圧力が２ｂａｒ以上３０ｂａｒ以下になるようマイクロ波発生手段を調整しながら１時間加熱した。
【００２５】
抽出溶媒の赤外線吸収スペクトル分析を行ったところ、インキ成分と接着剤成分と考えられるウレタン基が検出された。
【００２６】
＜比較例１＞
まず、１００ｍｌ容量のフッ素樹脂製容器に、抽出溶媒としてヘプタン１０ｍｌと、試料である、ポリエチレン（１０μｍ）／紙（３００μｍ）／ＰＥＴ（１２μｍ）／ポリエチレン（１０μｍ）構成であってウレタン系接着剤でラミネートした物０．３ｇを入れ密閉した。
【００２７】
次に、それを、マイクロ波出力１０００Ｗにて１時間加熱したが、試料の温度は４０℃以上に上昇しなかった。
【００２８】
抽出溶媒を、赤外線吸収スペクトルを用いて分析したが、接着剤成分と考えられるウレタン基は検出されなかった。
【産業上の利用可能性】
【００２９】
本発明の試料から成分を抽出する方法、並びにそれに用いる装置は、試料に含まれる有効成分のみを抽出し、有効成分以外の抽出を阻止することが出来ので、様々な包装材料、建装材、産業資材に含まれる有機成分分析に利用できる。
【図面の簡単な説明】
【００３０】
【図１】試料から成分を抽出する装置の説明図である。
【符号の説明】
【００３１】
１・・・マイクロ波発生手段
２・・・水
３・・・ガラスビーズ
４・・・プラスチック製容器
５・・・マイクロ波シールド容器
６・・・安全弁
７・・・非接触式温度測定手段
８・・・圧力測定手段
【図１】
2007160164.tif 000003